(57)【要約】【課題】  内燃機関を走行用駆動源とする車両において、燃料電池の燃料を確保する。【解決手段】  エタノールを含有するガソリンを燃料とする内燃機関７を走行用駆動源とする車両に搭載される車両用発電システムであって、エタノールをガソリンから分離する分離手段１１と、エタノールと酸化剤との電気化学反応により電気エネルギを発生させる燃料電池１２とを備える。車両には、内燃機関７の始動に必要な電力を供給する２次電池１と、内燃機関７の停止時に電力を消費するとともに、内燃機関７の停止時に２次電池１から電力供給される電気負荷３とが搭載されており、燃料電池１２は、電気化学反応により発生した電気エネルギを２次電池１あるいは電気負荷２の少なくとも一方に供給可能に構成されており、所定条件が成立した場合に、分離手段１１から燃料電池１２に燃料を供給させ、燃料電池１２における発電を開始させる。【選択図】        図２
2006221864.tif 000002
【特許請求の範囲】
【請求項１】
アルコールまたはエーテルのいずれか一方からなる燃料電池用燃料を含有する内燃機関用燃料を燃料とする内燃機関（７）を走行用駆動源とする車両に搭載される車両用発電システムであって、
前記燃料電池用燃料を前記内燃機関用燃料から分離する分離手段（１１）と、
前記燃料電池用燃料と酸化剤との電気化学反応により電気エネルギを発生させる燃料電池（１２）とを備えることを特徴とする車両用発電システム。
【請求項２】
前記車両には、前記内燃機関（７）の始動に必要な電力を供給する２次電池（１）と、前記内燃機関（７）の停止時に電力を消費するとともに、前記内燃機関（７）の停止時に前記２次電池（１）から電力供給される電気負荷（３）とが搭載されており、
燃料電池（１２）は、電気化学反応により発生した電気エネルギを前記２次電池（１）あるいは前記電気負荷（２）の少なくとも一方に供給可能に構成されており、
前記分離手段（１１）から前記燃料電池（１２）への燃料の供給を制御する燃料供給制御手段（１４、１５、１９、３１）とを備え、
前記燃料供給制御手段（１４、１５、１９、３１）は、所定条件が成立した場合に、前記分離手段（１１）から前記燃料電池（１２）に燃料を供給させ、前記燃料電池（１２）における発電を開始させることを特徴とする請求項１に記載の車両用発電システム。
【請求項３】
前記所定条件は、前記内燃機関（７）が停止してから所定期間が経過したことであることを特徴とする請求項１または２に記載の車両用発電システム。
【請求項４】
前記所定条件は、前記内燃機関（７）が停止していることであることを特徴とする請求項１または２に記載の車両用発電システム。
【請求項５】
前記分離手段（１１）は、前記内燃機関用燃料から前記燃料電池用燃料を選択的に透過させる透過膜（１１ｇ）を備えていることを特徴とする請求項１ないし４のいずれか１つに記載の車両用発電システム。
【請求項６】
前記燃料電池用燃料はアルコールであり、前記分離手段（１１）は前記内燃機関用燃料に水を供給し、相分離により水とともにアルコールを前記内燃機関用燃料から分離することを特徴とする請求項１ないし４のいずれか１つに記載の車両用発電システム。
【請求項７】
前記内燃機関用燃料から分離された前記燃料電池用燃料は前記内燃機関用燃料より下方に位置するようになっており、
前記分離手段（１１）は、底部に漏斗状部位（１１ｂ）を有し、前記漏斗状部位（１１ｂ）の最下部から前記燃料電池用燃料を排出できるように構成されていることを特徴とする請求項６に記載の車両用発電システム。
【請求項８】
前記分離手段（１１）と漏斗状部位（１１ｂ）との体積比は、前記内燃機関用燃料とこれに含まれる前記燃料電池用燃料との体積比以下であることを特徴とする請求項７に記載の車両用発電システム。
【請求項９】
前記燃料電池（１２）は、複数の燃料電池セルが電気的に直列接続されて構成されていることを特徴とする請求項２ないし８のいずれか１つに記載の車両用発電システム。
【請求項１０】
前記燃料電池（１２）での発電電圧を昇圧する電圧変換手段（３２）を備えることを特徴とする請求項２ないし９のいずれか１つに記載の車両用発電システム。
【請求項１１】
前記電圧変換手段（３２）は、昇圧回路を複数備えていることを特徴とする請求項１０に記載の車両用発電システム。
【請求項１２】
前記電圧変換手段（１７）は、前記２次電池（１）からの電源供給により作動することを特徴とする請求項２ないし１１のいずれか１つに記載の２次電池充電システム。
【請求項１３】
前記内燃機関用燃料は、ガソリンに所定量のエタノールが混合された燃料であることを特徴とする請求項１ないし１２のいずれか１つに記載の車両用発電システム。
【請求項１４】
前記分離手段（１１）とは独立して構成され、前記燃料電池（１２）に前記燃料電池用燃料を供給可能な燃料供給手段を備えることを特徴とする請求項１ないし１３のいずれか１つに記載の車両用発電システム。
【発明の詳細な説明】
【技術分野】
【０００１】
本発明は、内燃機関を走行用駆動源とする車両に搭載され、内燃機関用燃料から分離したエタノール等を燃料として発電する燃料電池を備える車両用発電システムに関する。
【背景技術】
【０００２】
近年、車両に搭載する補機類の増加やその機能の増大に伴い、車両停止中に補機類での消費電流（暗電流）が増大しており、車両搭載のバッテリが過剰に放電する可能性がある。また、一般に車両搭載のバッテリは休止期間中に自己放電を起こし、自然に充電容量が低下する。このため車両の停止期間が長い場合にはバッテリの容量低下が顕著になる。この傾向は、車両の走行中の電気負荷の増大によりバッテリの充電と放電のバランスがくずれた場合にはさらに容量低下を助長する結果となる。
【０００３】
一般的に、内燃機関を主要な走行用駆動源とする車両では、バッテリからの電源供給を受けて内燃機関の始動を行うようになっており、内燃機関の停止中にバッテリが過剰に放電した場合、内燃機関の再始動ができなくなる不具合が発生する。このような不具合に対し、バッテリの容量を大きくするなどの解決法があるが、バッテリの容量を無制限に大きくすることは重量と車両内のスペースの点から制限がある。このため、何らかの方法により、バッテリに充電したり、放電の制限をする方法が考案されている。
【０００４】
例えばバッテリが過剰に放電する前に事前にそれを検知し、暗電流が発生する機器への通電を停止する構成（特許文献１）や、あるいはバッテリを複数搭載する車両において一方のバッテリから他方のバッテリに充電を行う構成（特許文献２）が提案されている。また、輸送のような長期にわたる停車の場合には補機とバッテリを遮断するスイッチを別途設ける構成も考案されている（特許文献３）。さらに、太陽電池を設け、その発電電力により駐車中に車内の空気を換気したり、余った電力をバッテリに供給する構成も提案されている（特許文献４）。
【特許文献１】特開２００４−１６８２６３号公報
【特許文献２】特開２００２−２０９３０１号公報
【特許文献３】特開平１０−０７０８４３号公報
【特許文献４】特開２００３−２９７０４４号公報
【発明の開示】
【発明が解決しようとする課題】
【０００５】
しかし、特許文献１の構成では機器の通電停止により発生する不具合があり、特許文献２の構成では電気自動車あるいは電気と内燃機関のハイブリッド車に限定されるなどの制限がある。また、特許文献３の構成では、スイッチを手動で作動させる手間のほか、通電停止中にメモリの情報が消失したりする問題がある。さらに特許文献４の構成では、車両を日光のあたらない屋内に置く場合には発電が期待できないという問題がある。
【０００６】
また、近年実用化してきた燃料電池を用い、内燃機関の停止中に発電させ、バッテリを充電することも考えられるが、燃料電池の燃料を確保しなければならないという問題がある。
【０００７】
本発明は上記点に鑑み、内燃機関を走行用駆動源とする車両において、燃料電池の燃料を確保することを目的とする。
【課題を解決するための手段】
【０００８】
上記目的を達成するため、請求項１に記載の発明では、アルコールまたはエーテルのいずれか一方からなる燃料電池用燃料を含有する内燃機関用燃料を燃料とする内燃機関（７）を走行用駆動源とする車両に搭載される車両用発電システムであって、燃料電池用燃料を内燃機関用燃料から分離する分離手段（１１）と、燃料電池用燃料と酸化剤との電気化学反応により電気エネルギを発生させる燃料電池（１２）とを備えることを特徴としている。
【０００９】
これにより、燃料電池（１２）の燃料は内燃機関用燃料から分離することで確保できるので、車両ユーザは内燃機関（７）に対する燃料補給のみを行うだけでよく、燃料電池（１２）のための燃料補給をする必要がない。
【００１０】
また、請求項２に記載の発明では、車両には、内燃機関（７）の始動に必要な電力を供給する２次電池（１）と、内燃機関（７）の停止時に電力を消費するとともに、内燃機関（７）の停止時に２次電池（１）から電力供給される電気負荷（３）とが搭載されており、燃料電池（１２）は、電気化学反応により発生した電気エネルギを２次電池（１）あるいは電気負荷（２）の少なくとも一方に供給可能に構成されており、分離手段（１１）から燃料電池（１２）への燃料の供給を制御する燃料供給制御手段（１４、１５、１９、３１）とを備え、燃料供給制御手段（１４、１５、１９、３１）は、所定条件が成立した場合に、分離手段（１１）から燃料電池（１２）に燃料を供給させ、燃料電池（１２）における発電を開始させることを特徴としている。
【００１１】
これにより、内燃機関（７）の停止中に２次電池（１）の充電容量低下を防止することができる。このため、２次電池（１）は、内燃機関（７）を次回始動する際に内燃機関（７）の始動に必要な電力を保持することが可能となる。
【００１２】
また、請求項３に記載の発明のように、内燃機関（７）が停止してから所定期間が経過した場合に、燃料電池（１２）における発電を開始させることができ、さらに、請求項４に記載の発明のように、内燃機関（７）が停止している場合に、燃料電池（１２）における発電を開始させることができる。
【００１３】
また、請求項５に記載の発明のように、分離手段（１１）は内燃機関用燃料から燃料電池用燃料を選択的に透過させる透過膜（１１ｇ）を備えるようにすることで、内燃機関用燃料から燃料電池用燃料を分離することができる。
【００１４】
また、請求項６に記載の発明のように、燃料電池用燃料がアルコールの場合は、分離手段（１１）は内燃機関用燃料に水を供給し、相分離により水とともにアルコールを内燃機関用燃料から分離するように構成できる。
【００１５】
また、請求項７に記載の発明では、内燃機関用燃料から分離された燃料電池用燃料は内燃機関用燃料より下方に位置するようになっており、分離手段（１１）は、底部に漏斗状部位（１１ｂ）を有し、漏斗状部位（１１ｂ）の最下部から燃料電池用燃料を排出できるように構成されていることを特徴としている。これにより、内燃機関用燃料から分離された燃料電池用燃料が少量であっても、効率よく分離手段（１１）から排出することができる。
【００１６】
また、請求項８に記載の発明のように、分離手段（１１）と漏斗状部位（１１ｂ）との体積比を、内燃機関用燃料とこれに含まれる燃料電池用燃料との体積比以下とすることで、漏斗状部位（１１ｂ）を必要以上に大きくすることがない。
【００１７】
また、請求項９に記載の発明のように、燃料電池（１２）を複数の燃料電池セルを電気的に直列接続して構成することで、燃料電池（１２）の出力電圧を上げることができる。
【００１８】
また、請求項１０に記載の発明のように、燃料電池（１２）での発電電圧を昇圧する電圧変換手段（３２）を設けることで、燃料電池（１２）の発電電圧を２次電池（１）に充電可能な電圧に昇圧することができる。
【００１９】
また、請求項１１に記載の発明のように、電圧変換手段（３２）が昇圧回路を複数備えるように構成することで、燃料電池（１２）の発電電圧を効率的に昇圧することができる。
【００２０】
また、請求項１２に記載の発明のように、電圧変換手段（３２）が２次電池（１）からの電源供給により作動するように構成することができる。
【００２１】
また、請求項１３に記載の発明のように、内燃機関用燃料としてガソリンに所定量のエタノールが混合された燃料を用いることができる。
【００２２】
また、請求項１４に記載の発明では、分離手段（１１）とは独立して構成され、燃料電池（１２）に燃料電池用燃料を供給可能な燃料供給手段を備えることを特徴としている。これにより、例えば長期的に車両が停止状態にあるときには、内燃機関用燃料容器１１内にガソリンが存在しない場合にも、燃料電池（１２）による発電を行うことができ、２次電池（１）を充電することができる。
【００２３】
なお、上記各手段の括弧内の符号は、後述する実施形態に記載の具体的手段との対応関係を示すものである。
【発明を実施するための最良の形態】
【００２４】
（第１実施形態）
以下、本発明の第１実施形態について図１〜図５に基づいて説明する。図１は本第１実施形態の２次電池充電システムの全体構成を示しており、図２は燃料電池ユニットの構成を示している。本実施形態の車両は、内燃機関１を走行用駆動源とするものであり、２次電池１、電気負荷２、発電装置３、燃料電池ユニット１０、制御部３０等が搭載されている。
【００２５】
２次電池１は、内燃機関７（図２）の作動中に発電装置３にて発電した電力を蓄えるとともに、各種の補機類に電力を供給するものである。また、２次電池１は、内燃機関７を始動する際に用いられるスタータ（図示せず）に電源供給を行うように構成されている。
【００２６】
電気負荷２は、内燃機関７の停止時も含めて常時通電が必要となるものであり、例えば時計やリモコン式ドアロックスイッチ等である。電気負荷２には、内燃機関７が作動している際には発電装置３にて発電した電力が供給され、内燃機関７が停止している際には、２次電池１から電力が供給される。
【００２７】
発電装置３は、オルタネータ４、整流器５、レギュレータ６を備えている。オルタネータ４は、内燃機関７により駆動されて発電し交流電圧を出力する。整流器５は、オルタネータ４の交流電圧を整流して整流電圧を発生し２次電池１及びレギュレータ６に供給する。レギュレータ６は、オルタネータ６の出力を制御して、出力電圧が上限電圧以上にならないようにしている。
【００２８】
燃料電池ユニット１０は、燃料貯蔵容器１１、燃料電池１２を備えている。本実施形態の燃料電池１２は、燃料としてエタノールを用いるダイレクトアルコール燃料電池（ＤＡＦＣ）を採用している。このため、燃料貯蔵容器１１は、燃料としてのエタノールを液体状態で貯蔵している。燃料電池１２は、固体高分子電解質膜型燃料電池を好適に用いることができる。この固体高分子電解質膜型燃料電池は、常温で作動するため、停止時の車両でも使用しやすい。
【００２９】
燃料電池１２は、内燃機関７（図２）の停止時に２次電池１の充電のために発電を行うものである。燃料電池１２の発電電力は、２次電池１の起電力を１２Ｖとし、電気負荷２の消費電流を５０ｍＡ程度とすると、５０ｍＡ×１２Ｖ＝０．６Ｗ程度あればよい。本実施形態では、より多くの電力（例えば１０Ｗ）を燃料電池１２で発電させて２次電池１を充電し、２次電池１の状態を急速に回復させるようにしている。
【００３０】
図２に示すように、内燃機関７には内燃機関用燃料容器８に貯蔵された内燃機関用燃料が供給される。内燃機関用燃料容器８の内部に燃料を圧送する燃料ポンプ８ａが設けられている。本実施形態では、内燃機関７として、ガソリンを燃料とするガソリンエンジンを用いており、内燃機関用燃料容器２にはガソリンが貯蔵されている。本実施形態では、内燃機関７の燃料としてガソリンに１０％程度のエタノールが混合されたエタノール混合ガソリンを用いている。
【００３１】
燃料貯蔵容器１１は、内燃機関用燃料容器２から内燃機関７にガソリンを供給するガソリン供給経路９の途中に設けられている。燃料貯蔵容器１１には、エタノール混合ガソリンからエタノールを分離されたエタノールが貯蔵される。燃料貯蔵容器１１におけるエタノール混合ガソリンからのエタノール分離については後述する。なお、燃料貯蔵容器１１が本発明の分離手段に相当している。
【００３２】
図３は、燃料電池１２の主要構成を示す概念図である。燃料電池１２は、電解質膜の両側面に電極が配置されたＭＥＡ（Membrane  Electrode  Assembly：電解質・電極接合体）１２０と、このＭＥＡ１２０を挟持する一対のセパレータ１２１、１２２から構成される燃料電池セルとして構成されている。ＭＥＡ１２０の電解質膜は、ナフィオン（デュポン社）等のプロトン伝導性の高分子電解質膜を用いることができる。本実施形態の燃料電池１２は、１層の燃料電池セルを備えている。なお、ＭＥＡ１２０の電解質膜の周囲は、封止剤１２ｄによりシールされている。
【００３３】
セパレータ１２１、１２２は、カーボン材または導電性金属よりなる板状部材からなる。アノード側セパレータ１２１には破線で示す溝が形成されており、燃料貯蔵容器１１からエタノールが供給される。カソード側セパレータ１２２には、空気が供給される溝が形成されている。本実施形態の燃料電池１２は、発電電力が１０Ｗ程度と小さいので、必ずしも空気を強制的に供給する必要はなく、自然対流を利用してカソード側セパレータ１２２に空気が供給される。
【００３４】
図２に戻り、燃料貯蔵容器１１と燃料電池１２との間には燃料供給経路１３が設けられており、燃料貯蔵容器１１のエタノールは燃料供給経路１３を介して燃料電池１２に導かれる。燃料供給経路１３には、経路を開閉する開閉弁１４と、エタノールを圧送するためのエタノール供給ポンプ１５が設けられている。通常時は燃料供給経路１３は開閉弁１４によって遮断されている。燃料電池１２の起動時に開閉弁１４が開放する。開閉弁１４が開放され、エタノール供給ポンプ１５が作動開始することで、燃料貯蔵容器１１のエタノールが燃料供給経路１３を介して燃料電池１２に供給される。これにより燃料電池１２では、エタノールから生成した水素を燃料とし空気中に含まれる酸素を酸化剤として電気化学反応が起こり、発電を開始する。
【００３５】
燃料電池１２のカソード側には、電気化学反応に用いられなかった酸素を含む空気排ガスが排出される排ガス排出経路１６が設けられている。空気排ガスには電気化学反応で生じた生成水が含まれており、排ガス排出経路１６には空気排ガスから水分を分離するための気液分離器１７が設けられている。
【００３６】
気液分離器１７に溜まった水分は、水供給経路１８を介して燃料貯蔵容器１１に供給される。水供給経路１８には、水を圧送する水供給ポンプ１９と、燃料貯蔵容器１１からガソリンが水供給経路１８に逆流することを防止する逆止弁２０が設けられている。また、気液分離器１７には、内部に溜まった水分を外部に排出するための排出弁２１が設けられている。
【００３７】
次に、燃料貯蔵容器１１におけるエタノール混合ガソリンからのエタノールの分離について説明する。図４は、燃料貯蔵容器１１の構成を示している。燃料貯蔵容器１１は、上方の第１本体部１１ａと下方の第２本体部１１ｂを有している。第１本体部１１ａは円筒状に形成されており、第２本体部１１ｂは下方に向かって直径が徐々に小さくなっていく漏斗状に形成されている。なお、第２本体部１１ｂが本発明の漏斗状部位に相当している。
【００３８】
燃料貯蔵容器１１と第２本体部１１ｂとの体積比は、エタノール混合ガソリンとこれに含まれるエタノール成分の体積比以下であることが望ましい。すなわち、エタノール混合ガソリンから分離されたエタノール成分の上面が、第１本体部１１ａと第２本体部１１ｂとの境界線付近あるいは境界線より若干上方に位置することが望ましい。これにより、漏斗状の第２本体部１１ｂを必要以上に大きくしなくてすむ。
【００３９】
上述のように、燃料貯蔵容器１１は、内燃機関用燃料容器２から内燃機関７にガソリンを供給するガソリン供給経路９の途中に設けられている。第１本体部１１ａには、ガソリン供給経路９における内燃機関用燃料容器２側（上流側）に接続されるガソリン導入口１１ｃと、ガソリン供給経路９における内燃機関７側（下流側）に接続されるガソリン排出口１１ｄが設けられている。第２本体部１１ｂにおける最下部には、燃料供給経路１３に接続されるエタノール排出口１１ｅが設けられている。
【００４０】
また、燃料貯蔵容器１１は、水分により相分離を用いてエタノール混合ガソリンからエタノールを分離するように構成されている。第１本体部１１ａの最上部には、水供給経路１８に接続され、気液分離器１７から水が供給される水導入口１１ｆが設けられている。燃料貯蔵容器１１内にエタノール混合ガソリンが存在する状態で、燃料貯蔵容器１１内に水が注入されると、ガソリン中に含有されていたエタノールは水に溶け、エタノール水溶液としてガソリンと分離される。エタノール水溶液はガソリンより密度が高いため、燃料貯蔵容器１１の第２本体部１１ｂに沈降する。燃料貯蔵容器１１の下方に蓄積されたエタノール水溶液は、燃料供給経路１３の開閉弁１４を開にしてエタノール供給ポンプ１５を作動することで、燃料電池１２のアノード側に供給される。
【００４１】
図１に戻り、本実施形態の２次電池充電システムは、制御部３０を備えている。制御部３０は、制御回路３１、電圧変換回路３２を備えている。制御部３０の各回路３１、３２は、２次電池１からの電源供給を受けて作動するように構成されている。制御回路３１は、ＣＰＵ、ＲＯＭ、ＲＡＭ、Ｉ／Ｏなどを備えた周知のマイクロコンピュータによって構成され、ＲＯＭなどに記憶されたプログラムに従って各種演算などの処理を実行する。本実施形態の制御回路３１は、内燃機関の作動状態を検出できるとともに、開閉弁１４の開閉制御、ポンプ１５、１９の作動制御を行うように構成されている。なお、制御回路３１と開閉弁１４、ポンプ１５、１９が本発明の燃料供給制御手段に相当し、電圧変換回路３２が本発明の電圧変換手段に相当している。
【００４２】
電圧変換回路３２は、燃料電池１２で発生した電気エネルギを２次電池１に充電可能な電圧まで昇圧する。本実施形態の単セルから構成された燃料電池１２の発電電圧は０．５〜０．８Ｖ程度であるので、これを電圧変換回路３２で２次電池１の起電力（例えば１２Ｖ）まで昇圧する。
【００４３】
図４は、電圧変換回路３２の構成を示す回路図である。図４に示すように、電圧変換回路３２は周知の昇圧回路であり、制御回路３１からの起動信号により開閉するスイッチ１７ａ、昇圧制御回路１７ｂ、ＤＣ／ＤＣコンバータ部１７ｃを備えている。ＤＣ／ＤＣコンバータ部１７ｃは、コイル１７ｄ、スイッチ素子１７ｅ、１７ｆ、コンデンサ１７ｇ、１７ｈを備えており、コイル１７ｄに蓄えた電気エネルギをスイッチ素子１７ｅ、１７ｆにてスイッチングし、コンデンサ１７ｇ、１７ｈで平滑化することで昇圧する。
【００４４】
次に、本実施形態の２次電池充電システムの作動について説明する。本実施形態の構成では、燃料貯蔵容器１１でのエタノール分離に燃料電池１２の生成水を用いるので、初期条件として、気液分離器１７に純水を予め補充しておくか、あるいは燃料貯蔵容器１１に所定濃度のエタノール水溶液を補充しておく。
【００４５】
内燃機関７の運転中には、エタノール混合ガソリンは内燃機関用燃料容器８から燃料貯蔵容器１１を通過して内燃機関７に送られる。内燃機関７で使われなかったガソリンは内燃機関用容器８に戻される。このとき、ガソリンは燃料ポンプ８ａにより圧送されるため大気圧以上に昇圧されているが、燃料貯蔵容器１１と燃料電池１２とをつなぐ配管１３、１８には、開閉弁１４や逆止弁２０が設置してあるため、燃料電池１２にガソリンが流れ込むことを防止している。
【００４６】
本実施形態の制御回路３１は、内燃機関７の停止から所定期間経過した時点で、制御回路３１から燃料電池起動信号が出力される。燃料電池起動信号は、開閉弁１４、エタノール供給ポンプ１５、水供給ポンプ１９に出力される。これにより、開閉弁１４は開放状態となり、エタノール供給ポンプ１５、水供給ポンプ１９が作動開始する。なお、「所定期間」は、２次電池１の充電容量が放電により内燃機関の始動に必要な所定値（例えば満充電状態の４０％）を下回ると推定される期間であり、本実施形態では内燃機関の停止から４０日経過後としている。内燃機関の停止は、オルタネータ４での発電が行われなくなったことに基づいて検出することができる。
【００４７】
内燃機関７が停止している状態では、ガソリンが燃料貯蔵容器１１内に滞留している。このため、水供給ポンプ１９が作動し、気液分離器１７内の水分が燃料貯蔵容器１１内に水を注入されることで、燃料貯蔵容器１１内でエタノール混合ガソリンからエタノールが水分とともに分離される。そして、開閉弁１４が開放状態となりエタノール供給ポンプ１５が作動することで、燃料貯蔵容器１１内のエタノールが燃料電池１２に供給される。これにより、燃料電池１２は発電を開始することができる。また、エタノール供給ポンプ１５を停止し、開閉弁１４を閉じれば、燃料電池１２はエタノールの消費とともに発電を停止する。
【００４８】
燃料電池１２で発生した電気エネルギは、電圧変換回路３２で２次電池１に充電可能な電圧まで昇圧され、２次電池１に供給される。これにより、内燃機関７の停止中に２次電池１を充電して充電容量の低下を防止することができ、内燃機関７を次回始動する際に、内燃機関７の始動に必要な電力を保持することが可能となる。
【００４９】
内燃機関用燃料容器８内のガソリンが減少した場合は、ガソリンスタンド等にてエタノール含有ガソリンを補給すればよい。燃料電池１２の燃料となるエタノールはガソリンから分離することで確保できるので、車両ユーザは内燃機関７に対する燃料補給のみを行なえばよく、燃料電池１２のための特別な操作・保守を必要としない。また、燃料電池１２の発電開始後は燃料電池１２で発生した生成水を燃料貯蔵容器１１におけるエタノール分離に用いることで、新たな水の補給を行う必要がない。
【００５０】
（第２実施形態）
次に、本発明の第２実施形態について説明する。本第２実施形態は、上記第１実施形態に比較して、燃料電池１２の起動条件が異なるものである。以下、上記第１実施形態と異なる部分についてのみ説明する。
【００５１】
本第２実施形態の制御回路３１は、２次電池１の開放電圧を検出することで、２次電池１のＳＯＣ（充電状態）を推定するように構成されている。制御回路３１は、内燃機関が停止しており、かつ、２次電池１の開放電圧から推定された２次電池１のＳＯＣが所定値を下回った場合に、開閉弁１４に対して起動信号を出力する。この「所定値」は、内燃機関の始動に必要な充電容量であり、例えば２次電池２の満充電状態の４０％程度に設定することができる。
【００５２】
このような構成によっても、上記第１実施形態と同様の効果を得ることができる。
【００５３】
（第３実施形態）
次に、本発明の第３実施形態について図６に基づいて説明する。本第３実施形態は、上記第１実施形態と比較して、燃料貯蔵容器１１の構成が異なるものである。以下、上記第１実施形態と異なる部分についてのみ説明する。
【００５４】
図６は、本第３実施形態の燃料貯蔵容器１１の構成を示している。図６に示すように、燃料貯蔵容器１１には、エタノール混合ガソリンからエタノールを分離するためのエタノール選択透過膜１１ｇが設けられている。エタノール選択透過膜１１ｇは、第１本体部１１ａと第２本体部１１ｂの境界部分に配置されている。このエタノール選択透過膜とは、エタノール混合ガソリンに含まれるガソリンを透過せず、エタノールのみもしくはエタノールと水のみを透過する膜である。なお、エタノール選択膜１１ｇとしては、例えば、多孔質系ゼオライト膜、多孔質系シリカ膜もしくは多孔質系の有機膜を用いることができる。
【００５５】
燃料貯蔵容器１１の第１本体部１１ａにエタノール混合ガソリンが供給されると、エタノールのみがエタノール選択膜１１ｇを透過して第２本体部１１ｂに移動する。エタノール選択膜１１ｇによるエタノールの分離は、膜両面の圧力差が大きいほど効率よく行うことができ、さらに温度差が大きいほどより効率よく行うことができる。
【００５６】
本実施形態では、エタノール混合ガソリンは燃料ポンプ８ａにより圧送されて大気圧以上に昇圧されているので、エタノール選択膜１１ｇによるエタノール分離を効率よく行うことができる。また、エタノール混合ガソリンは燃料ポンプ８ａにより圧送されることで高温となるので、エタノール分離をより効率よく行うことができる。
る。
【００５７】
以上のようなエタノール選択膜１１ｇを用いる構成では、燃料貯蔵容器１１にエタノール分離のための水を供給する必要がなく、気液分離器１７、水供給経路１８、水供給ポンプ１９等を設ける必要がなく、構成を簡素化することができる。
【００５８】
（第４実施形態）
次に、本発明の第４実施形態について図７に基づいて説明する。本第４実施形態は、上記第１実施形態に比較して、燃料電池１２の起動条件が異なる。以下、上記第１実施形態と異なる部分についてのみ説明する。
【００５９】
図７は本第４実施形態の２次電池充電システムの概念図である。図７に示すように、本第４実施形態では２次電池１における電流の授受を監視する電流センサ３３が設けられている。電流センサ３３では、電流の流れ方向および電流の大きさを検出することができる。
【００６０】
本実施形態の制御回路３１は、内燃機関が停止状態になったことを検出すると、直ちに開閉弁１４、エタノール供給ポンプ１５、水供給ポンプ１９に燃料電池起動信号を出力する。これにより、燃料電池１２は発電を開始し、２次電池１の充電が行われる。このとき、電流センサ３３にて２次電池１における電流の授受を監視し、それがゼロか、あるいはわずかに２次電池１に充電されるようにすれば２次電池１が過放電になることはない。
【００６１】
本実施形態のように内燃機関の停止後直ちに２次電池１の充電を行う構成では、２次電池１が消費する電流分の補充ができればよいので、燃料電池１２の発電電力は大きくする必要はないが、内燃機関の停止期間中はいつでも発電を行う必要があるため、燃料電池１２の耐久時間は長いことが要求される。
【００６２】
（第５実施形態）
次に、本発明の第５実施形態について図８に基づいて説明する。本第５実施形態は、上記第１実施形態に比較して、電圧変換回路３２の構成が異なる。以下、上記第１実施形態と異なる部分についてのみ説明する。
【００６３】
図８は、本第５実施形態の電圧変換回路３２の回路図である。図８に示すように、本第４実施形態の電圧変換回路３２では、同様の構成を有する複数（本例では２つ）のＤＣ／ＤＣコンバータ部３２ｃ、３２ｉが設けられている。ＤＣ／ＤＣコンバータ部３２ｃ、３２ｉが本発明の昇圧回路に相当している。
【００６４】
燃料電池１２の発電電圧が例えば０．６Ｖである場合に、第１ＤＣ／ＤＣコンバータ部３２ｃで０．６Ｖを３Ｖ程度に昇圧し、第２ＤＣ／ＤＣコンバータ部３２ｉで３Ｖを１２Ｖ程度に昇圧する。このように、電圧変換回路３２に複数の昇圧回路を設けることで、エネルギ変換効率を向上させることができる。
【００６５】
（第６実施形態）
次に、本発明の第６実施形態について図９に基づいて説明する。本第６実施形態は、上記第１実施形態に比較して、燃料電池１２の構成が異なる。以下、上記第１実施形態と異なる部分についてのみ説明する。
【００６６】
図９は、本第６実施形態の燃料電池１２の構成を示す概念図である。図９に示すように、本第６実施形態の燃料電池１２は、ＭＥＡ１２０と一対のセパレータ１２１、１２２からなる燃料電池セル１２０、１２１、１２２を複数設け、これらの燃料電池セル１２０、１２１、１２２を電気的に直列接続して構成されている。本実施形態では、３個の燃料電池セル１２０、１２１、１２２を積層している。このように複数の燃料電池セル１２０、１２１、１２２を積層することで、燃料電池１２の発電電圧を上げることができる。
【００６７】
（第７実施形態）
次に、本発明の第７実施形態について図１０に基づいて説明する。以下、上記第１実施形態と異なる部分についてのみ説明する。
【００６８】
図１０は、本第７実施形態の２次電池充電システムの概念図である。図１０に示すように、本第７実施形態では、車両外部にリモート装置４０が設けられている。制御回路３１には第１の通信手段としての通信回路３１ａが設けられ、リモート装置４０との間で通信可能となっている。本実施形態では、無線による通信が行われる。
【００６９】
制御回路３１は、内燃機関が停止してから所定期間が経過した場合、あるいは２次電池１の残存容量が低下し、内燃機関の始動に必要な所定値を下回った場合に、リモート装置４０に２次電池１の残存容量に関する残存容量情報を送信する。また、制御回路３１は、リモート装置４０から燃料電池１２の起動指令に関する起動指令情報を受信する。
【００７０】
リモート装置４０は、制御回路３１との間で通信可能な通信回路４１とユーザが視認可能な表示部４２とユーザが操作可能な操作部４３とを備えている。なお、リモート装置４０、通信回路４１、表示部４２、操作部４３が、それぞれ本発明の外部装置、第２の通信手段、表示手段、操作手段に相当している。
【００７１】
リモート装置４０は、制御回路３１から残存容量情報を受信した場合に、表示部４２によって２次電池１の残存容量が少なくなり充電が必要な状態であることを、ユーザに報知することができるように構成されている。また、操作部４３は、例えばボタンから構成されており、ユーザの操作により燃料電池１２の起動指令、すなわち２次電池１の充電開始指令を行うことができるように構成されている。リモート装置４０は、ユーザが操作部２３ｃで燃料電池１２の起動指令を行うことで、制御回路３１に対して、起動指令情報を送信する。
【００７２】
制御回路３１は、リモート装置４０からの起動指令情報を受信すると、開閉弁１４、エタノール供給ポンプ１５、水供給ポンプ１９に燃料電池起動信号を出力して燃料電池１２を起動し、２次電池１の充電を開始する。
【００７３】
以上の構成により、車両外のユーザに２次電池１の充電が必要であることを報知し、ユーザからの指示にしたがって２次電池１の充電を行うようにすることができる。
【００７４】
なお、本実施形態では、リモート装置４０を車両外部に設けたが、これに限らず車室内に設けてもよい。この場合には、制御回路３１とリモート装置４０との間の通信を有線で行うように構成してもよい。
【００７５】
（他の実施形態）
なお、上記実施形態では、燃料電池１２にて発生した電気エネルギを２次電池１の充電に用いたが、これに限らず、燃料電池１２にて発生した電気エネルギを電気負荷２に直接供給するように構成してもよい。この場合には、燃料電池１２の発電電圧を昇圧する電圧変換回路３２を燃料電池１２と電気負荷２との間に設ければよい。
【００７６】
また、上記実施形態では、液体有機化合物としてエタノールを用いたが、これに限らず、ガソリンに含まれることがあり得る液体有機化合物であればよく、例えばメタノールを含むアルコールや、ジメチルエーテル等のエーテルを用いることができる。
【００７７】
また、上記実施形態では、燃料電池１２の燃料をガソリン中のエタノールを分離して得る構成について説明したが、例えば長期的に車両が停止状態にあるときには、内燃機関用燃料容器１１内にガソリンが存在しないことも考えられる。この場合には、燃料電池１２による発電を行うことができず、２次電池１を充電することができない。このため、補助用のエタノールを貯蔵するエタノール専用タンクを別途設け、外部からエタノールを補給するように構成してもよい。
【００７８】
また、上記実施形態では、水を用いた相分離あるいはエタノール選択膜を用いてガソリンからエタノールを分離するように構成したが、例えば燃料貯蔵容器１１を加熱するヒータを設け、ガソリンとエタノールとの蒸留温度の差を利用してエタノールを抽出するように構成してもよい。
【図面の簡単な説明】
【００７９】
【図１】第１実施形態の２次電池充電システムの全体構成を示す概念図である。
【図２】燃料電池ユニットの構成を示す概念図である。
【図３】燃料電池の主要構成を示す概念図である。
【図４】燃料貯蔵容器の構成を示す断面図である。
【図５】電圧変換回路の回路図である。
【図６】第３実施形態の燃料貯蔵容器の構成を示す断面図である。
【図７】第４実施形態の２次電池充電システムの概念図である。
【図８】第５実施形態の電圧変換回路の回路図である。
【図９】第６実施形態の燃料電池の構成を示す概念図である。
【図１０】第７実施形態の２次電池充電システムの概念図である。
【符号の説明】
【００８０】
１…２次電池、２…電気負荷、３…発電装置、４…オルタネータ、１０…燃料電池ユニット、１１…燃料貯蔵容器、１２…燃料電池、１４…開閉弁、３１…制御回路、３２…電圧変換回路、４０…リモート装置。
【図１】
2006221864.tif 000003
【図２】
2006221864.tif 000004
【図３】
2006221864.tif 000005
【図４】
2006221864.tif 000006
【図５】
2006221864.tif 000007
【図６】
2006221864.tif 000008
【図７】
2006221864.tif 000009
【図８】
2006221864.tif 000010
【図９】
2006221864.tif 000011
【図１０】
2006221864.tif 000012